(57)【要約】【課題】本発明の課題は、構成が簡単で部品点数も少なくて済み、ＰＴＯ軸を安全に保護することのできる防護カバーを提供する。【解決手段】本発明は、ＰＴＯ軸１２の左右横側部を防護する横側防護カバー１８ａ，１８ｂは、車体側から上方に立設した左右のリヤフレーム１８，１８を構成する部材を利用した構成とし、前記ＰＴＯ軸１２の上側部を防護する上側防護カバー１９は、前記左右リヤフレーム１８，１８間にわたって連結保持させてあることを特徴とするトラクタの構成とする。また、ＰＴＯ軸１２の上側部を防護する上側防護カバー１９は、トップリンク１５を連結支持するためのトップリンクブラケット１４に固着して設けた構成としてあることを特徴とするトラクタの構成とする。【選択図】図３
2013177061.tif 000002
【特許請求の範囲】
【請求項１】
ＰＴＯ軸（１２）の左右横側部を防護する横側防護カバー（１８ａ），（１８ｂ）は、車体側から上方に立設した左右のリヤフレーム（１８），（１８）を構成する部材を利用した構成とし、前記ＰＴＯ軸（１２）の上側部を防護する上側防護カバー（１９）は、前記左右リヤフレーム（１８），（１８）間にわたって連結保持させてあることを特徴とするトラクタ。
【請求項２】
ＰＴＯ軸（１２）の左右横側部を防護する横側防護カバー（１８ａ），（１８ｂ）は、車体側から上方に立設した左右のリヤフレーム（１８），（１８）を構成する部材を利用した構成とし、前記ＰＴＯ軸（１２）の上側部を防護する上側防護カバー（１９）は、トップリンク（１５）を連結支持するためのトップリンクブラケット（１４）に固着して設けた構成としてあることを特徴とするトラクタ。
【請求項３】
前記上側防護カバー（１９）は、トップリンクブラケット（１４）に着脱自在に連結保持させてあることを特徴とする請求項２記載のトラクタ。
【発明の詳細な説明】
【技術分野】
【０００１】
この発明は、作業機のＰＴＯ軸を備えたトラクタに関する。
【背景技術】
【０００２】
従来、トラクタに装備された作業機に動力を伝達するためのＰＴＯ軸には、これを安全に保護するための防護カバーが設けられている。
特許文献１に開示された防護カバーは、複雑で部品点数も多くて安価に実施し難いものとなっている。
【先行技術文献】
【特許文献】
【０００３】
【特許文献１】特開２０１１−１２６３２４号公報
【発明の概要】
【発明が解決しようとする課題】
【０００４】
本発明の課題は、上記の従来技術に対し、構成が簡単で部品点数も少なくて済み、ＰＴＯ軸を安全に保護することのできる防護カバーを具現することにある。
【課題を解決するための手段】
【０００５】
この発明は、上記課題を解決すべく次のような技術的手段を講じた。
すなわち、請求項１記載の本発明は、ＰＴＯ軸（１２）の左右横側部を防護する横側防護カバー（１８ａ），（１８ｂ）は、車体側から上方に立設した左右のリヤフレーム（１８），（１８）を構成する部材を利用した構成とし、前記ＰＴＯ軸（１２）の上側部を防護する上側防護カバー（１９）は、前記左右リヤフレーム（１８），（１８）間にわたって連結保持させてあることを特徴とするトラクタとする。
【０００６】
左右の横側防護カバー（１８ａ），（１８ｂ）は、左右のリヤフレーム（１８），（１８）を構成する部材を利用するものであるため、新たな部品を要せず、簡単に構成することができる。
【０００７】
また、上側防護カバー（１９）は、左右のリヤフレーム（１８），（１８）によって連結支持するものであるため、この上側防護カバーを支持するための別の支持部材を要せず、簡単に構成することができる。
【０００８】
請求項２記載の本発明は、ＰＴＯ軸（１２）の左右横側部を防護する横側防護カバー（１８ａ），（１８ｂ）は、車体側から上方に立設した左右のリヤフレーム（１８），（１８）を構成する部材を利用した構成とし、前記ＰＴＯ軸（１２）の上側部を防護する上側防護カバー（１９）は、トップリンク（１５）を連結支持するためのトップリンクブラケット（１４）に固着して設けた構成としてあることを特徴とするトラクタとする。
【０００９】
左右の横側防護カバー（１８ａ），（１８ｂ）は、左右のリヤフレーム（１８），（１８）を構成する部材を利用するものであるため、新たな部品を要せず、簡単に構成することができる。
【００１０】
また、上側防護カバー（１９）は、既存のトップリンクブラケット（１４）に固着するものであるため、これを支持するための別の支持部材を要しないばかりでなく、一体化した場合には一部品として利用することができる。
【００１１】
請求項３記載の本発明は、請求項２において、前記上側防護カバー（１９）は、トップリンクブラケット（１４）に着脱自在に連結保持させてあることを特徴とするトラクタとする。
【００１２】
ＰＴＯ軸（１２）の補修に際しては、上側の防護カバー（１８）を取り外すことによってＰＴＯ軸の補修等が容易に行える。
【発明の効果】
【００１３】
以上要するに、請求項１記載の本発明によれば、ＰＴＯ軸の左右横側部を防護する横側防護カバーは、左右のリヤフレームを構成する部材を利用するものであるため、新たな部品を要せず、簡単に構成することができる。
【００１４】
また、上側防護カバーは、左右のリヤフレームによって連結支持するものであるため、これを支持するための別の支持部材を要せず簡単に構成することができ、構成部品の簡素化に伴いコストも大幅に低減することができる。
【００１５】
請求項２記載の本発明によれば、左右の防護カバーは、左右リヤフレームの構成部材を利用するものであるため、新たな部品を要せず、簡単に構成することができるものでありながら、上側の防護カバーは、既存のトップリンクブラケットに固着して支持するものであるため、これを支持するための別の支持部材を要しないばかりでなく、一体化構成の場合は一部品として利用することもでき、安価に実施することができる。
【００１６】
請求項３記載の本発明によれば、請求項２記載の効果に加えて、上側の防護カバーは、トップリンクブラケットに対して着脱自在であるため、ＰＴＯ軸の補修に際しては、上側の防護カバーを取り外すだけでＰＴＯ軸の補修を上側から容易に行うことができる。
【図面の簡単な説明】
【００１７】
【図１】トラクタの側面図
【図２】同上要部の側面図
【図３】同上要部の背面図
【図４】トラクタ要部の別例背面図
【図５】トラクタ要部の別例背面図
【図６】（Ａ）はロータリ爪要部の背面図（Ｂ）はその側面図
【図７】（Ａ）はロータリ爪要部の背面図（Ｂ）はその側面図
【図８】（Ａ）はロータリ爪要部の背面図（Ｂ）はその側面図
【図９】（Ａ）はロータリ爪要部の背面図（Ｂ）はその側面図
【図１０】牽引用ヒッチの側面図
【図１１】同上平面図
【図１２】同上背面図
【図１３】牽引用ヒッチの別例側面図
【図１４】同上平面図
【図１５】同上背面図
【図１６】フローチャート
【図１７】フローチャート
【図１８】フローチャート
【図１９】表示パネルの平面図
【発明を実施するための形態】
【００１８】
この発明の実施例を図面に基づき説明する。
図１は、農業機械であるトラクタを示すものであり、この走行車体１前部のボンネット２内部にエンジンＥを搭載し、このエンジンＥの回転動力をミッションケース３内の変速装置に伝え、この変速装置で減速された回転動力を前輪４及び後輪５とに伝えるように構成している。ミッションケ−ス３の後上部には油圧シリンダケース６が搭載され、このシリンダケース６の左右両側部には、油圧昇降機構の一部を構成するリフトアーム７，７が回動自在に枢支されている。シリンダケース６内に収容されているリフトシリンダ８に作動油を供給するとリフトアーム７が上方に回動し、排出するとリフトアーム７は下降するようになっている。
【００１９】
エンジンＥの後方に前輪４，４を操舵するステアリングハンドル９が装備され、更に、その後方には運転席１０が設置され、また、運転席１０の後方位置には、走行車体１側から突設する背面視アーチ型の安全フレーム１１が立設されている。
【００２０】
車体１の後部には、リヤミッションケース３ＲからＰＴＯ軸１２が突設されてあり、車体後部に昇降自在に取り付けられたロータリ作業機１３を駆動するように連動構成している。リヤミッションケース３Ｒの後部には、トップリンク１５と左右のロワーリンク１６からなる３点リンク機構の一端側が取り付けられており、３点リンク機構の他端側にロータリ作業機１３が装着支持されるようになっている。このロータリ作業機１３は前記リフトアーム７の上下回動によりリフトロッド１７を介して昇降する。
【００２１】
図２及び図３例において、車体１の後部には、リヤミッションケース３Ｒの左右両側位置において該車体１側から上方に向けてリヤフレーム１８，１８が立設されている。
前記ＰＴＯ軸１２の左右横側部を防護する横側防護カバー１８ａ，１８ｂは、左右のリヤフレーム１８，１８を構成する部材を利用した構造になっており、該フレーム１８と一体化されている。
【００２２】
また、ＰＴＯ軸１２の上側を防護する上側防護カバー１９は、前記左右のリヤフレーム１８，１８間にわたって左右の防護カバー１８ａ，１８ｂにボルト２０止めした構成としている。
【００２３】
また、この上側防護カバー１９は、図４例では、車体側から突設したトップリンク１５支持用のブラケット１４に溶着手段などにより固着して一体化した構成としている。更に、図５例では、上側の防護カバー１９は、トップリンクブラケット１４に対してボルト２０等によって着脱自在に連結保持させた構成としている。
【００２４】
次にセンタロータリ爪の配置構成について説明する。図６例では、センタロータリの爪軸両サイドの耕耘爪２３を爪軸２４のフランジ２５外面より外側に装着して、フランジ面の磨耗を防止するように構成している。従来はフランジ面の内側に溶接された爪ホルダに装着していたため、フランジ面の磨耗が早く、早期に交換しなければならなかったが、本例による場合は爪を最外側に配置することで、フランジ面の保護ができるようになった。
【００２５】
図７例は、フランジ２５部の外側に磨耗防止用のガードプレート２７を設けた構成であり、図８例は、フランジ２５部の外側偏心位置に磨耗防止用のガード部材２８を部分的に設けた構成としている。また、図９例では、爪軸両サイドのフランジ２５部と爪ホルダ２６を一体成形の部材とし、爪切削面とフランジ外面とのクリアランスを小さくするようにしている。これによると、耕耘爪をフランジ面に近づけることにより、深耕時フランジ面にかかる側圧が軽減でき、フランジ面の磨耗を軽減することができる。
【００２６】
図１０〜図１２に示す実施例は、牽引用ヒッチの構成例を示すもので、その牽引ヒッチ３０には、トラクタのロワーリンクが内側に入り過ぎないように取り付けるロワーリンクガイドプレート３１が後付け可能に設けられ、ヒッチ底面の左右２本づつの取付ボルト３２を用いて取り付けられている。
【００２７】
なお、図１３〜図１５例は、図１０〜図１２に示すガイドプレートの変形例を示すもので、図例に示すような形状のガイドプレート３１によってロワーリンクが内側に入り過ぎないように規制案内するように構成している。これによると、ロワーリンクが牽引ヒッチの下に潜り込み、アシストシリンダの固定ピンを損傷させる問題を解消することができる。
【００２８】
トラクタのアップストップ（ＰＴＯ軸回転の自動停止及び自動開始）装置において、ＰＴＯ軸１２回転が自動停止する位置を、ロータリ作業機１３の耕耘爪２３がまだ地中にある位置とすべく、ロータリ作業機を上げ下げ操作するポジションレバー３５又はフィンガップレバー３６の上げ操作により、トラクタのコントロールボックスに受信された時点とするように構成する。つまり、ロータリを上げ操作すると、耕耘爪が土中にあるときにロータリの回転が停止するように構成することで、ロータリ作業の旋回時等にて発生する切り上げ（凹）部の溝深さを浅くすることができ、特に、枕地付近での整地性が向上する。
【００２９】
また、上記の構成において、旋回時のステアリングハンドル９によるハンドル操作によりロータリ作業機が自動的に上昇するものにあっては、一定以上のハンドル操作により、耕耘爪が土中にある時点で停止した後、作業機がタイミング良く上昇するように関連構成するものであってもよい。
【００３０】
機体後進時に作業機が自動的に上昇するバックアップ装置において、チェンジギヤをバックに入れて直ぐに後進しだすと作業機がまだ土中に存在することがあり、作業機の破損を招く恐れがある。そのため、トラクタが後進するときにおいて、作業機が一定以上上昇していないときは、バックギヤに切り替えてもクラッチがつながらないように構成することができる。これによると、作業機が一定以上に上昇してから後進することになるので、作業機の破損を未然に防止することができる。
【００３１】
なお、バックアップ作動時の上げ高さを任意に設定できるように構成しておくと、枕地耕耘時の位置合わせが楽になり、作業能率が向上する。
一般に自動車ではトリップメータが有効であるが、農業機械では作業能率を把握するためにも作業時間の把握が重要なポイントになる。そこで、作業時間を計時するにあたり、図１６のフローチャートで示すように、耕耘作業モードにおいて耕耘（スイッチ）ボタンを押すと、作業時間のカウントが開始されるようにする。作業時間は耕耘作業の積算時間として液晶パネルに表示される。停止判定として走行ボタンを押すことでカウントが停止するように構成する。
【００３２】
カウンタのリッセットは、図１７例で示すように、耕耘ボタンを長押しすることでリセットされるようにしておくとよい。
また、作業モードカウントのメモリ機能として、図１８例に示すように、耕耘スイッチボタンを押すと、作業時間のカウントを開始し、エンジンを切り（ＯＦＦ）にするとカウントを中断し、エンジン始動（ＯＮ）後は、耕耘スイッチボタンを押すことによって、リセット前のカウントが再開されるようにする。
【００３３】
圃場をロータリ耕耘する際、作業速度、ＰＴＯ軸回転速度等を選択し、圃場に適した作業条件を見出すのには手間がかかる。
前年度の作業速度、ＰＴＯ軸回転数等をＵＳＢ（記憶媒体）３８に記憶させ、翌年作業をする際に昨年の作業データを液晶表示パネル図１９参照３９に表示させてオペレータに知らせることで、作業の補助データとして活用することができる。表示パネル上に表示させた作業データはトラクタの作業条件にフィードバックする。
【００３４】
また、表示パネル上に表示させた作業データを変更する場合はタッチパネルを用いて作業速度、ＰＴＯ回転数等を変更することができる。
更に上記の手段を用いてＵＳＢに数箇所の圃場データを記憶させ、作業データとしてトラクタの作業条件にフィードバックする。
【００３５】
また、上記のＵＳＢを用いて前年度の記憶させた作業データより使用燃費や平均燃費等をオペレータに知らせ、今年度の作業の目安として作業に生かすことができる。
【符号の説明】
【００３６】
１２    ＰＴＯ軸
１３    ロータリ作業機
１４    トップリンクブラケット
１８    リヤフレーム
１８ａ  横側防護カバー
１８ｂ  横側防護カバー
１９    上側防護カバー
１８    ロックピン
【図１】
2013177061.tif 000003
【図２】
2013177061.tif 000004
【図３】
2013177061.tif 000005
【図４】
2013177061.tif 000006
【図５】
2013177061.tif 000007
【図６】
2013177061.tif 000008
【図７】
2013177061.tif 000009
【図８】
2013177061.tif 000010
【図９】
2013177061.tif 000011
【図１０】
2013177061.tif 000012
【図１１】
2013177061.tif 000013
【図１２】
2013177061.tif 000014
【図１３】
2013177061.tif 000015
【図１４】
2013177061.tif 000016
【図１５】
2013177061.tif 000017
【図１６】
2013177061.tif 000018
【図１７】
2013177061.tif 000019
【図１８】
2013177061.tif 000020
【図１９】
2013177061.tif 000021